(57)【要約】  本発明は、上、下顎模型を付着させて歯牙の配列関係を確認するために使用する咬合器に関するものであり、上顎と下顎との運動構造が簡単でありながらも咬合の誤差を最小化して、上顎と下顎を咬合面に正確にマウンティングさせることができるようにした。現在の咬合器は、上下顎骨運動の形態を模倣して基準軸の位置が顆頭（ｃｏｎｄｙｌｅ）に合わせて製作されて折畳まれる方式を使っているが、このような方法は筋肉の運動が全面排除された形態として上、下顎運動において誤差が発生せざるを得ない。したがって、いくら多様な補助手段を利用して誤差を減らすと言っても必ず後加工が必要であるという問題点があるものであり、また、正確な咬合がなされることができない一方で、咬合器の構造があまりにも複雑で作業に困難が伴うものであった。したがって本発明は、上顎固定台と下顎固定台の中心平面の延長線上に基準軸を形成することで、回転運動の接線が咬合平面に垂直に作動するようにして、従来の補助手段を利用して咬合状態を微細に調整するより生理的咬合にさらに近く上、下作動されて咬合器の誤差範囲を最小化しながらも上顎固定台と下顎固定台の作動構造及び使用が簡単な構造でなされるようにした。【選択図】図２
2013521096.tif 000002
【特許請求の範囲】
【請求項１】
下顎モデル１００をマウンティングする下顎固定台１０と上顎モデル２００をマウンティングする上顎固定台２０が回動軸１１によって上、下で折畳自在になるようになって、前記下顎固定台１０と上顎固定台２０の後方に形成されたコラム１２、２２が同一な長さを有するようになって、回動軸１１が咬合平面（α）の延長線上に形成されて下顎固定台１０と上顎固定台２０が回動軸１１を中心に上、下に対称されるように作動して、前記上顎モデル１００と下顎モデル２００が上下で折畳される場合回転運動の接線（β）が咬合平面に垂直に作動されることを特徴とする咬合器。
【請求項２】
下顎固定台１０は、後方に形成されたコラム１２上端にシャフト１３が形成されて、その両側で回動軸１１が突出形成されて、上顎固定台２０はコラム２２の下端に内入溝２１ａが形成されたコ字形状の回動支持台２１が形成されて、回動軸１１に軸結合されながら回動支持台２１の間の中央部に形成されたホック２３によってシャフト１３に脱着可能になるようになることを特徴とする請求項１に記載の咬合器。
【請求項３】
前記ホック２３は、後方にプッシュスイッチ２４が形成されて、スプリング２４ａによって弾性作動しながら復元力を有してワンタッチで脱着可能になるようになって、前記ホック２３の前端部と回動支持台２１の下端部に傾斜面２３ｂ、２１ｂが形成されて加圧差込が可能になるようになることを特徴とする請求項２に記載の咬合器。
【請求項４】
前記ホック２３の係止される内側に押し台２３ａが下部に突出形成されて、プッシュスイッチ２４を押す時にシャフト１３を前方に押してくれるようになりながら易しく離脱されるようになることを特徴とする請求項３に記載の咬合器。
【請求項５】
前記回動支持台２１は、内入溝２１ａの内側末端部に外側で勾配２１ｃが形成されて、上顎固定台２０の左、右捻り時に回動軸が係止されないようになることを特徴とする請求項３に記載の咬合器。
【請求項６】
前記回動支持台２１は、内入溝２１ａの上面が−２゜で傾斜角を有するようになって、上顎固定台２０の左、右捻り時に歯牙の生理的咬合にさらに近似値で動かれて咬合測定がさらに精密になされるようになることを特徴とする請求項３に記載の咬合器。
【請求項７】
前記下顎固定台１０は、下顎モデル１００の水平状態を調節するための別途のジグ３０が具備されて、ジグ３０の前方に形成された垂直ピン３５を利用して水平状態を維持しながら下顎モデルを咬合平面上に正確に位置させることができるようになることを特徴とする請求項１に記載の咬合器。
【請求項８】
前記下顎固定台１０は、後方に形成されたコラム１２上端にシャフト１３が形成されて、その両側に回動軸１１が突出形成されて、前記ジグ３０は後方下側で安着溝３１が形成された支持台３２が突出形成されて、回動軸１１が安着溝３１に密着固定されながら支持台３２の間の中央部に形成されたホック３３によってシャフト１３に脱着可能になるようになることを特徴とする請求項７に記載の咬合器。
【請求項９】
前記ジグ３０は、位置移動取っ手３６によって前、後方にスライド移動するようになる切歯点ポジションピン３６ａを形成して、下顎モデルの切歯点を固定するようになることを特徴とする請求項７に記載の咬合器。
【請求項１０】
前記ジグ３０は、切歯点ポジションピン３６ａの後方で臼齒ガイド３７が形成されて、臼齒ポジションピン３８と移送取っ手３９が形成されて、前記臼齒ポジションピン３８は移送取っ手３９によって左、右で移送が可能でありながら、上、下で昇降させて臼齒ポジションピン３８の位置を設定できるようになることを特徴とする請求項９に記載の咬合器。
【請求項１１】
前記臼齒ガイド３７は、回動軸の外周面に加圧パッキング３７ａが相互密着された状態で装着されて、左、右対称で作動されながらも密着力を超過する力が発生される場合には個別的に回動角を調節できるようになることを特徴とする請求項１０に記載の咬合器。
【請求項１２】
前記上顎固定台２０の前方にはガイドピン２５が形成されて上顎固定台２０の水平状態を支持するようになって、前記ガイドピン２５の上端に調節手段２６が形成されてガイドピン２５が上、下に垂直移動されながら角度調節が可能になるようになって上顎固定台２０の高さを調節できるようになることを特徴とする請求項１に記載の咬合器。
【請求項１３】
前記調節手段２６は、ガイドピン２５の上部に長孔２６ａが形成されて、その長孔２６ａが固定軸２６ｂに結合されて、垂直移動されながら角度調節が可能になるようになって、その調節手段２６は上顎固定台２０前方のガイドレール２７にレール構造で結合されて、前、後方にスライド作動するようになることを特徴とする請求項１２に記載の咬合器。
【発明の詳細な説明】
【技術分野】
【０００１】
本発明は、上、下顎模型を付着させて、歯牙の配列関係を確認するために使用する咬合器に関するものであり、上顎と下顎の運動構造が簡単でありながらも咬合の誤差を最小化して、上顎と下顎を咬合面に正確にマウンティングさせることができるようにした。
【背景技術】
【０００２】
一般に、咬合器は、歯と歯ぐきの咬合状態を測定して、入れ歯、歯冠修復、補綴物などの製作及び診断に使用される器具として頭蓋骨に対する顎骨及び歯牙の相対的位置関係や下顎の運動を機械的に模倣して再現する。
実際に人体で上下顎骨運動は、上顎骨は動かないで下顎骨が動く構造で大部分の咬合器の構造がこのような上下顎骨運動の形態を模倣してなされるものであり、上顎固定部と下顎固定部の折畳まれる基準軸は、顆頭を基準にしてなされる。
また、補綴物を製作するための咬合器は、一つの下顎位しか再現することができない平線咬合器から、より高い再現性を備えた各種調節性咬合器、その他の自由運動咬合器などの特殊な咬合器まで数多くの種類の咬合器が提案された。
しかし、このような咬合器の問題が人体の下顎運動を再現するために図２２及び図２３に示されたところのように基準軸の位置が顆頭に合わせられて製作されるようになるが、人体解剖学的に見る時、顆頭は球形状でなされるので、軸の作動原理とは多くの差があり、また歯牙の上、下運動は、顆頭の位置と筋肉（咀嚼筋）運動の組合によって行われるが、前記のように顆頭の位置のみを基準軸にする場合、筋肉の動きが排除された状態であるので、上下顎運動を測定する時に誤差が発生せざるを得ない。
また、このような誤差範囲を調節するために咬合器の構造が複雑になるようになるだけでなく、上顎と下顎モデルをマウンティングするためには、上顎固定部と下顎固定部を別途の工具を利用して分解してマウンティングした後、再び結合する構造であるので、使用が非常に不便なものであり、また患者によって上、下で調節するか、または左、右幅を調節するにあたって、咬合器の操作に多い困難があり、このような咬合器構造の複雑性のために製作原価が上昇するようになる問題がある。
そして、このような従来の咬合器は、正確な咬合平面に上顎及び下顎モデルを位置させるためにゴム紐やレーザーなどの補助手段を利用して咬合平面の位置を確認しながら上、下顎モデルを固定させるようになるが、このようなものを利用して正確な位置にマウンティングするには多くの難しさがあって、またゴム紐やレーザー自体の厚さによって微細な誤差が発生するようになる問題がある。
そして、咬合器を利用して患者の口腔構造に合わせて調節したとしても、高さ及び左右幅を調節する機械操作が手作業でなされるので、微細な誤差が発生せざるを得ないものであり、いくら正確に合わせると言っても実質的に咬合状態を確認するための咬合紙の厚さは非常に薄ら厚さでなされるので、その誤差範囲を手作業で調節することが事実上不可能であり、結局には補綴物を患者に挟んだ状態で後加工が必要な。
【発明の概要】
【発明が解決しようとする課題】
【０００３】
本発明は、前記した従来の問題点を解決するために案出したものであり、上、下顎の運動時に生理的咬合の中心になる基準軸で位置を設定することで、咬合器の誤差範囲を最小化して、咬合器の上顎固定台と下顎固定台の作動構造及び使用が簡単な構造でなされながらも、上顎及び下顎モデルを咬合平面上に正確に位置させて、精密な咬合がなされるようにすることにその目的がある。
【課題を解決するための手段】
【０００４】
前記の目的を達成するために本発明は、上顎固定台と下顎固定台が折畳まれる咬合平面の延長線上に基準軸を形成することで、回転運動の接線が咬合平面に垂直に作動するようにして、前記下顎固定台に回動軸を形成して、上顎固定台が下顎固定台にワンタッチで脱着される構造を有するようにした。
また、前記下顎固定台の回動軸には、下顎モデルの水平状態を調節するためのジグがワンタッチで脱着されるようにすることで、上、下顎モデルを咬合平面上に正確に位置させることができるし、ジグにポジションシャフトを形成して下顎モデルが固定された状態で動かないようにして、正確な咬合測定を可能にさせた。
【発明の効果】
【０００５】
前述したところのように本発明は、歯牙の生理的咬合の中心になる点を基準軸にして、咬合器の誤差範囲を最小化してさらに精密な咬合が可能になって、このような咬合器の構造を単純化して、製作が容易でありながらも製作単価を減らすことができるようになるものであり、咬合器の使用時に上顎モデルと下顎モデルをマウンティングする場合に咬合器を分解する必要なしに上顎固定台を簡単に脱着させてマウンティングすることができるので、使用が便利で作業時間を減らすことができるようになる。
また、ジグを利用して咬合平面の位置を設定することができるので、咬合の誤差範囲をさらに減らすことができるようになる。
【図面の簡単な説明】
【０００６】
【図１】本発明の一実施例を示した斜視図である。
【図２】本発明の咬合器の折畳構造を示した側面図である。
【図３】本発明の咬合器の生理学的咬合状態を示した概略図である。
【図４】本発明の下顎固定台と上顎固定台の脱着構造を示した斜視図である。
【図５】本発明の下顎固定台と上顎固定台の脱着構造を示した側断面図である。
【図６】本発明の回動軸と回動支持台の捻り状態を示した平断面図である。
【図７】本発明の回動支持台のまた他の実施例を示した側面図である。
【図８】本発明の上顎固定台のガイドピンの作動構造を示した側面図である。
【図９】本発明の上顎固定台の調節手段の組み立て構造を示した斜視図である。
【図１０】本発明の下顎固定台にジグが結合される状態の斜視図である。
【図１１】本発明のジグが結合された状態の斜視図である。
【図１２】上、下顎モデルのマウンティング過程を示した概略図である。
【図１３】上、下顎モデルのマウンティング過程を示した概略図である。
【図１４】上、下顎モデルのマウンティング過程を示した概略図である。
【図１５】本発明の咬合器のまた他の実施例を示した斜視図である。
【図１６】本発明のジグのまた他の実施例を示した斜視図である。
【図１７】図１６のジグの使用状態図である。
【図１８】図１６のジグの使用状態図である。
【図１９】本発明のジグのまた他の実施例を示した斜視図である。
【図２０】図１９のジグの使用状態図である。
【図２１】図１９のジグの使用状態図である。
【図２２】従来の咬合器の折畳構造を示した側面図である。
【図２３】従来の咬合器の基準軸位置を示した概略図である。
【発明を実施するための形態】
【０００７】
本発明は、下顎モデル１００をマウンティングする下顎固定台１０と上顎モデル２００をマウンティングする上顎固定台２０が回動軸１１によって上、下に折畳自在になるようになって、前記下顎固定台１０と上顎固定台２０の後方に形成されたコラム１２、２２が同一な長さを有するようになって、回動軸１１が咬合平面（α）の延長線上に形成されて、下顎固定台１０と上顎固定台２０が回動軸１１を中心に上、下に対称されるように作動して、前記上顎モデル１００と下顎モデル２００が上下で折畳される場合に、回転運動の接線（β）が咬合平面に垂直に作動されるようにした。
（発明の実施のための形態）
以下、本発明による望ましい実施例を添付した図面を参照して説明すれば次のようである。下記の添付図面では同一な構成要素に対しては同一な参照番号を使用した。
図１及び図２に示されたところのように本発明は、下顎固定台１０と上顎固定台２０でなされて回動軸１１によって上、下に折畳自在になるようになるものであり、上顎固定台２０の前方に形成されたガイドピン２５を利用して、上顎固定台２０の水平度を調節することで咬合平面（α）を設定して、その設定された咬合平面（α）に下顎モデル１００と上顎モデル２００をマウンティングして、歯牙の配列関係を確認できるようになる構造である。
また、前記下顎モデル１００と上顎モデル２００とは、下顎固定台１０と上顎固定台２０にそれぞれ装着されることで、前記モデル１００、２００は装着プレート１０ａ、２０ａにマウンティングされて、脱付着が可能になるようになる。
この時、前記装着プレート１０ａ、２０ａは、上、下顎固定台１０、２０の磁石によって脱付着されるようにすることが望ましい。
また、下顎固定台１０と上顎固定台２０の後方には、それぞれコラム１２、２２が垂直に直立されるように形成されて、回動軸１１と連結されるが、この時下顎固定台１０に形成されたコラム１２と上顎固定台２０に形成されたコラム２２が同一な長さでなされるようにすれば、回動軸１１が咬合平面（α）の延長線上に形成されて、下顎固定台１０と上顎固定台２０が回動軸１１を中心に上、下で対称されるように作動できるようになるものであり、これによって図３に示されたところのように上顎モデル１００と下顎モデル２００の回転運動の接線（β）が咬合平面（α）に垂直に接するようになりながら、歯牙の生理的咬合の中心になる点（Ｐ）を基準にして上、下で折畳されるようになる。
すなわち、前記上顎モデル１００と下顎モデル２００が後方の基準点（Ｐ）を中心に上、下で折畳されるようになって、上顎と下顎の運動構造が生理的歯牙運動に近く垂直に作動するようになるものであり、これによって咬合器の誤差範囲を最小化して、さらに精密な咬合が可能になる。
そして、前記下顎固定台１０と上顎固定台２０の折畳まれる構造を図４に示された結合構造によってさらに詳しく説明すれば、下顎固定台１０は後方に形成されたコラム１２上端にシャフト１３が形成されて、その両側で回動軸１１が突出形成されて、上顎固定台２０はコラム２２の下端に内入溝２１ａが形成されたコ字形状の回動支持台２１が形成されて、回動軸１１に軸結合されて上顎固定台２０が上、下に折畳自在になるようになる。
この時、前記上顎固定台２０は、両側回動支持台２１間の中央部にホック２３を形成して、ホック２３がシャフト１３に係止されるようにすることで、上顎固定台２０が下顎固定台１０に結合された状態で任意に離脱されないながらも、上顎固定台２０の回動が可能な構造でなされると共に上顎固定台２０を下顎固定台１０から脱着させることができるようになるものであり、前記ホック２３の後方にプッシュスイッチ２４を形成しながら、そのプッシュスイッチ２４がスプリング２４ａによって復元力を有するようにすれば、上顎固定台２０を下顎固定台１０からワンタッチで脱着することができるようになる。
そして、この時前記ホック２３の前端部と回動支持台２１の下端部にそれぞれ傾斜面２３ｂ、２１ｂを形成すれば、下顎固定台１０と上顎固定台２０の結合時にホック２３の傾斜面２３ｂはシャフト１３の上面に乗って差し込まれて、回動支持台２１の傾斜面２１ｂは回動軸１１の上面に乗って差し込まれながら加圧するようになるものであり、これによって下顎固定台１０と上顎固定台２０の強制差し込みが可能になりながら組み立てが容易になる。
そして、これとは反対に上顎固定台２０を分離させようとする場合には、図５に示されたところのように上顎固定台２０を取った状態でプッシュスイッチ２４を押すようになれば、ホック２３の内側に突出形成された押し台２３ａがシャフト１３を前方に押してくれるようになりながら回動支持台２１の係止状態を解除するようになって、上顎固定台２０を下顎固定台１０から上側に簡単に分離させることができるようになる。
よって、下部モデル１００と上部モデル２００をマウンティングするか、またはとり除く場合上顎固定台２０を分離した後簡単に作業することができるようになるので、マウンティング作業が容易になされながらも作業時間を縮めることができるようになる。
そして、このような咬合器は、モデル１００、２００の咬合状態を確認するためにモデルの間に咬合紙を入れて下部モデル１００と上部モデル２００を左、右に拗ってくれることで、歯牙の咬合状態を確認する過程を経るようになるが、前述したところのように回動支持台２１の形状がコ字形状でなされることで、回動軸１１の前方抜けが可能になるようになって、ホック２３によって固定された状態で下顎固定台１０と上顎固定台２０を左、右に拗ることができるようになる。
この時、前記回動支持台２１は、図６に示されたところのように内入溝２１ａの内側末端部に外側で勾配２１ｃを形成することで、上顎固定台２０の左、右に捻り時に回動軸１１が顎にかからないようになって、円滑に左、右で拗ることができるようになる。
そして、前記内入溝２１ａは、図７でのように上面が−２゜で傾斜角を有するようにすれば、上顎固定台２０の左、右捻り時に歯牙の生理的咬合にさらに近似値で動くようになされて、咬合測定がさらに精密になされるようにできる。
この時、傾斜角を−２゜で設定する理由は、人体解剖学的に、生理的咬合の中心になる点（Ｐ）と切歯点を連結した仮想線を基準線にして生理的咬合の中心になる点（Ｐ）と前置の上部末点を連結した線の角度が−２゜でなされるようになるが、これに合うように上述したところのように内入溝２１ａの上面を−２゜で傾斜角を有するようにすれば、生理的咬合にさらに近く左、右拗じれがなされるようになる。
そして、このような咬合器の作業手順を説明すれば、下顎固定台１０の上側に下部モデル１００を位置させた後石膏を利用してマウンティングして、その後上顎固定台２０の下側に上部モデル２００を位置させて、石膏を利用してマウンティングして、上、下顎固定台１０、２０を折畳することで、咬合状態を確認する手順でなされる。
一方、前記上顎固定台２０は、前方にガイドピン２５を形成して上顎固定台２０の水平状態を支持するようにして、図８でのようにガイドピン２５の上端に調節手段２６を形成して、ガイドピン２５が上、下に垂直移動されながら前、後方に角度調節が可能にさせた。
このために前記調節手段２６は、ガイドピン２５の上部に長孔２６ａを形成して、その長孔２６ａが固定軸２６ｂに結合されるようにして、ガイドピン２５が垂直移動と角度調節が可能にさせた。
また、上顎固定台２０が上、下で折畳される場合ガイドピン２５の位置が前、後方で微細に動くようになるが、これを補正するために図９に示されたところのように調節手段２６が上顎固定台２０前方のガイドレール２７にレール構造で結合されるようにすることで、前、後方にスライド作動されて位置補正が可能にさせた。
この時、前記ガイドピン２５の固定及び調節手段２６の前、後方移動は、絞り手段２８を利用して絞りすることで、定位置に固定されるようにしなければならないものであり、前記ガイドピン２５の作動及び調節手段２６の作動部には度盛りを表記することで定位置に装着することができるようにすることが望ましい。
そして、本発明では図１０及び図１１に示されたところのように前記下部モデル１００を位置させる場合、別途のジグ３０を利用して咬合平面上に定位置させることができるようにしたものであり、前記ジグ３０は上述した上顎固定台２０の装着構造と同一な構造でなされるようにすることが望ましい。
すなわち、前記ジグ３０は、後方下側に安着溝３１が形成された支持台３２が突出形成されて、回動軸１１が安着溝３１に密着固定されながら支持台３２の間の中央部に形成されたホック３３によってシャフト１３に脱着可能になるようになるものであり、この時前記ホック３３の後方にプッシュスイッチ３４を形成しながら、そのプッシュスイッチ３４がスプリング３４ａによって復元力を有するようにすれば、ワンタッチで脱着することができるようになる。
そして、この時前記ホック３３の前端部と支持台３２の下端部に傾斜面３３ｂ、３２ｂを形成すれば、ジグ３０の結合時にホック３３の傾斜面３３ｂは、シャフト１３の上面に乗って差し込まれて支持台３２の傾斜面３１ｂは回動軸１１の上面に乗って差し込まれながら加圧するようになるものであり、これによって締まりばめが可能になって組み立てが容易になる。
そして、これとは反対にジグ３０を下顎固定台１０から分離させようとする場合にはプッシュスイッチ３４を押すようになれば、ホック３３の内側に突出形成された押し台３３ａがシャフト１３を前方に押してくれるようになりながら支持台３２の係止状態を解除することで、上部に簡単に分離させることができるようになる。
この時、前記ジグ３０は前方に垂直ピン３５が形成されてジグ３０の装着状態を水平で維持できるようになることで、下顎モデル１００の咬合平面（α）を設定してくれて、下顎モデル１００をジグ３０の下端に簡単に密着させて位置を取ることができるようにしてくれる。
すなわち、ジグ３０の下部面自体が咬合平面（α）になるので、これによって目測やゴム紐、レーザーのような別途の手段を使用する必要なしにジグ３０の下端に下顎モデル１００を密着させることで、咬合平面（α）の正確な位置に下部モデル１００を位置させることができるようになる。
そして、一般に咬合器を使用するにあたって、歯牙が全然ない無歯顎患者の場合咬合平面が水平でなされるようにして作業をするが、歯牙がある有歯顎患者の場合咬合平面が−２゜の傾きを有するようにして作業をするようになるが、この時前記ジグ３０に形成された垂直ピン３５の高さを設定することで、ジグ３０を無歯顎用や有歯顎用で使用することができるようになる。
そして、前記ジグ３０は、図１６乃至図１８に示されたところのように位置移動取っ手３６によって前、後方にスライド移動するようになる切歯点ポジションピン３６ａを形成すれば、下顎モデルの切歯点を固定することができるようになるものであり、また、その後方には図１９に示されたところのように臼齒ガイド３７に臼齒ポジションピン３８を装着して、その臼齒ポジションピン３８が移送取っ手３９によって左、右に移送されながら上、下で昇降させることができるようにして、臼齒上面に臼齒ポジションピン３８を加圧することで、下顎モデルを緊密に固定することができるようになる。
この時、前記移送取っ手３９は、図２０のように上、下２段で形成して、上側取っ手３９ａは、臼齒ポジションピン３８を昇下降させて上、下高さを調節できるようにしながら下側取っ手３９ｂは、図２１のように臼齒ポジションピン３８を左、右で調節して、左、右側の臼齒間隔を調節することができるようになる。
このために、下側取っ手３９ｂが臼齒ガイド３７に形成されたラックギアと噛み合うように結合されるようにしたものであり、したがって、下側取っ手３９ｂを回転させることによって臼齒ポジションピン３８がラックギアにしたがって左、右に微細に動かされて、顎関の大きさによって臼齒ポジションピン３８の位置を調節することが可能になる。
また、前記臼齒ガイド３７は、左、右側が相互噛み合うようにして、一側を角度調節する場合にも他側が対称されるように動かすようにすれば、臼齒歯牙の位置づけが容易になることで、両側の臼齒ガイド３７の回動される軸の外周面にそれぞれ加圧パッキング３７ａを形成すれば、加圧パッキング３７ａがお互いを加圧するようになりながら水平に動くようになる。
また、この時前記加圧パッキング３７ａは、厚さを調節することで加圧パッキング３７ａの間の密着される力を調節することができるようになるものであり、望ましくは、お互いに一定な力で密着されるように加圧された状態で対称されるように動きながら両側の臼齒ガイド３７のうちいずれか一側を取った状態で他側の臼齒ガイド３７を角度調節する場合には個別的に動きが可能な程度で密着されるようにすることが望ましい。
【図１】
2013521096.tif 000003
【図２】
2013521096.tif 000004
【図３】
2013521096.tif 000005
【図４】
2013521096.tif 000006
【図５】
2013521096.tif 000007
【図６】
2013521096.tif 000008
【図７】
2013521096.tif 000009
【図８】
2013521096.tif 000010
【図９】
2013521096.tif 000011
【図１０】
2013521096.tif 000012
【図１１】
2013521096.tif 000013
【図１２】
2013521096.tif 000014
【図１３】
2013521096.tif 000015
【図１４】
2013521096.tif 000016
【図１５】
2013521096.tif 000017
【図１６】
2013521096.tif 000018
【図１７】
2013521096.tif 000019
【図１８】
2013521096.tif 000020
【図１９】
2013521096.tif 000021
【図２０】
2013521096.tif 000022
【図２１】
2013521096.tif 000023
【図２２】
2013521096.tif 000024
【図２３】
2013521096.tif 000025
【国際調査報告】
2013521096.tif 000026
2013521096.tif 000027
2013521096.tif 000028
2013521096.tif 000029